(57)【要約】【課題】本発明は、バランス機能を確保したうえで、必要な部品点数の低減を図って配管取りまわしの簡素化をなし、廉価な空気調和装置を提供する。【解決手段】圧縮機３、四方切換弁５、室外熱交換器６等を収容する室外ユニット１と、室内熱交換器１３等を収容する室内ユニット２とを、それぞれ複数台ずつ備えて冷凍サイクルを構成する空気調和装置において、各室外ユニットに収容される圧縮機の吸込み部を互いに連通するバランス管１６と、このバランス管に設けられ閉弁時に必要最小限の冷媒等の流通を可能とする絞り機能を有する開閉弁２１とを具備する。【選択図】    図１
2004263996.tif 000002
【特許請求の範囲】
【請求項１】
圧縮機、四方切換弁および室外熱交換器等を収容する室外ユニットと、室内熱交換器等を収容する室内ユニットとを、それぞれ複数台ずつ備えて冷凍サイクルを構成する空気調和装置において、
各室外ユニットに収容される上記圧縮機の吸込み部を互いに連通するバランス管と、
このバランス管に設けられ、閉弁時に必要最小限の冷媒等の流通を可能とする絞り機能を有する開閉弁とを具備することを特徴とする空気調和装置。
【請求項２】
上記絞り機能を有する開閉弁は、
上記バランス管の開口端が接続される弁本体と、この弁本体内にスライド自在に収容される弁体と、この弁体によって開閉される弁座部とを具備し、
上記弁体は、絞り用導入孔を有する第１のフィルタと、この第１のフィルタと間隙を存して設けられ絞り用放出孔を有する第２のフィルタと、これら第１のフィルタと第２のフィルタとの間に介設されオリフィス孔を有するオリフィス体と備えたことを特徴とする請求項１記載の空気調和装置。
【請求項３】
絞り機能を有する上記開閉弁は、
上記バランス管の開口端が接続される弁本体と、この弁本体内にスライド自在に収容される弁体と、この弁体によって開閉される弁座部と、この弁座部に設けられ上記弁体によって弁座部が閉成された状態で冷媒等の流通を可能とする絞り用溝部とを備えたことを特徴とする請求項１記載の空気調和装置。
【発明の詳細な説明】
【０００１】
【発明の属する技術分野】
本発明は、複数台の室外ユニットおよび室内ユニットを接続してなる、いわゆるマルチタイプの空気調和装置に係り、特に、各室外ユニットを並列に接続するバランス管構造の改良に関する。
【０００２】
【従来の技術】
たとえば中規模事業所や大規模事業所などでは、圧縮機、四方切換弁、室外熱交換器等を収容する室外ユニットと、室内熱交換器等を収容する室内ユニットとを、それぞれ複数台ずつ備えて冷凍サイクルを構成する空気調和装置が多用されている。
【０００３】
このような空気調和装置における室外ユニットは、コンパクトに設計できるためにエレベータ搬入が可能となり、一体型の装置と比較して搬送性がよいこと、および標準化ができてコスト低減が図れる。さらには、馬力毎のラインアップが組合せで自由に設定できるなどのメリットがある。
【０００４】
なお、圧縮機が各室外ユニット毎に備えられることから、室外ユニットの圧縮機相互間での油面管理が必要となる。そのため、新たにバランス管を各室外ユニット間に接続して、圧縮機相互間での均油を行うようにしている。
【０００５】
【発明が解決しようとする課題】
ところで、本出願人が先に提案した先行技術［特許公報１］において、バランス管は、以下に述べるようにして備えられている。
【０００６】
【特許公報１】
特開２００１−２０１２００号公報
すなわち、バランス管は各圧縮機の吸込み側に接続されており、圧縮機近傍に配置されたオイルタンクから潤滑油を他の室外ユニットへ送油する回路を有している。
【０００７】
ヒートポンプ式の場合、上記バランス管は、四方切換弁を反転させるときの差圧を確保する低圧バランス機能や、停止中の室外ユニットに寝込む冷媒を回収するための低圧バランス機能も兼ねている。
【０００８】
このバランス管には開閉弁が設けられており、室外ユニット間での均油の際に所定の開閉弁を開放して、バランス管に放出された潤滑油を圧縮機に戻す機能を有している。
【０００９】
しかるに、上記構成では停止中の圧縮機から運転中の圧縮機へ液冷媒が吸込まれるのを防止する、いわゆる液封防止や、装置据付け時に配管中にある空気を吸出したり、あるいは冷媒回収時に行われる真空引きの対応が必要である。
【００１０】
そのため、バランス管の中途部に開閉弁を設けるとともに、この開閉弁と並行に逆止弁および絞り装置であるキャピラリーチューブを接続する並列回路を必要としている。開閉弁の閉成時には、キャピラリーチューブを介して所定量の冷媒もしくは潤滑油が流通するので機能的には問題がない。
【００１１】
しかしながら、開閉弁とは別にキャピラリーチューブを必要とし、互いに並列回路を構成しなければならないので、その分、部品費と配管作業工数が嵩んでコストに悪影響を与えている。
【００１２】
本発明は上記事情に着目してなされたものであり、その目的とするところは、バランス機能を確保したうえで、必要な部品点数の低減を図って配管取りまわしの簡素化をなし、廉価な空気調和装置を提供しようとするものである。
【００１３】
【課題を解決するための手段】
上記課題を解決し目的を達成するために、本発明の空気調和装置は、圧縮機、四方切換弁、減圧装置および室外熱交換器等を収容する室外ユニットと、室内熱交換器等を収容する室内ユニットとを、それぞれ複数台ずつ備えて冷凍サイクルを構成し、各室外ユニットに収容される圧縮機の吸込み部を互いに連通するバランス管と、このバランス管に設けられ閉弁時に必要最小限の冷媒等の流通を可能とする絞り機能を有する開閉弁とを具備する。
【００１４】
さらに、絞り機能を有する上記開閉弁は、バランス管の開口端が接続される弁本体と、この弁本体内にスライド自在に収容される弁体と、この弁体によって開閉される弁座部とを具備し、弁体は、絞り用導入孔を有する第１のフィルタと、この第１のフィルタと間隙を存して設けられ絞り用放出孔を有する第２のフィルタと、これら第１のフィルタと第２のフィルタとの間に介設されオリフィス孔を備えたオリフィス体と備えた。
【００１５】
さらに、絞り機能を有する上記開閉弁は、バランス管の開口端が接続される弁本体と、この弁本体内にスライド自在に収容される弁体と、この弁体によって開閉される弁座部と、この弁座部に設けられ弁体によって弁座部が閉成された状態で冷媒等の流通を可能とする絞り用溝部とを備えた。
【００１６】
このように課題を解決する手段を採用することにより、バランス機能の向上化を得られ、必要な部品点数の低減を図って配管取りまわしの簡素化と、廉価な空気調和装置を得られる。
【００１７】
【発明の実施の形態】
以下、本発明の実施の形態を図面にもとづいて説明する。
【００１８】
図１は、空気調和装置に備えられる冷凍サイクル回路Ｒおよびバランス回路Ｋの配管系統を示している。ここでは２台の室外ユニット１と、４台の室内ユニット２との組合せから構成される、いわゆるマルチ式空気調和装置である。
【００１９】
各室外ユニット１には、それぞれ２台の圧縮機３が収容される。各圧縮機３の吐出部に接続される冷媒管Ｐは１本の冷媒管に合流して、オイルセパレータ４の側面部に連通する。
【００２０】
上記オイルセパレータ４の底部に冷媒管Ｐが貫通して設けられていて、この冷媒管Ｐはオイルセパレータ４内部において所定高さに開口している。オイルセパレータ４から出た冷媒管Ｐは四方切換弁５の一方のポートに接続される。四方切換弁５の他方のポートに接続される冷媒管Ｐに、室外熱交換器６と、リキッドタンク１０が設けられる。
【００２１】
特に、冷媒管Ｐはリキッドタンク１０の上面部から貫通して内底部近傍位置に開口しており、別の冷媒管Ｐがリキッドタンク１０の内底部近傍位置から上面部を貫通して室外ユニット１側面部に設けられる液用パックドバルブ１１ａに接続される。
【００２２】
四方切換弁５の他方のポートに接続される冷媒管Ｐはアキュームレータ１２の導入部に接続され、さらに冷媒管Ｐは中途部で二方向に分岐されて圧縮機３の吸込み部に設けられるサクションカップ７に接続される。四方切換弁５の残りのポートに接続される冷媒管Ｐは、室外ユニット１側面部に設けられるガス用パックドバルブ１１ｂに接続される。
【００２３】
各室外ユニット１における液用パックドバルブ１１ａと、ガス用パックドバルブ１１ｂのそれぞれには冷媒管Ｐが接続され、かつ液用パックドバルブ１１ａからの冷媒管Ｐは液用主冷媒管Ｐａに合流し、ガス用パックドバルブ１１ｂからの冷媒管Ｐはガス用主冷媒管Ｐｂに合流している。
【００２４】
上記室内ユニット２のそれぞれには、室内熱交換器１３と電子自動膨張弁１４とが収容されていて、これら室内熱交換器１３と電子自動膨張弁１４は互いに冷媒管を介して連通される。
【００２５】
室内ユニット２に延出されるガス用主冷媒管Ｐｂは、各室内ユニット２内の室内熱交換器１３と連通するよう分岐され、液用主冷媒管Ｐａは、各室内ユニット２内の電子自動膨張弁１４と連通するよう分岐される。このようにして冷凍サイクル回路Ｒが構成されている。
【００２６】
つぎに、上記バランス回路Ｋについて説明する。
なお、上記圧縮機３とオイルセパレータ４におけるハッチング線は、それぞれに収容される潤滑油を表している。
【００２７】
各室外ユニット１に収容される圧縮機３の底部には、それぞれバランス分岐管１５が接続されている。これらバランス分岐管１５には逆止弁１６ａとキャピラリーチューブ１６ｂが直列に接続され、１本のバランス管１６に合流する。
【００２８】
合流したバランス管１６には開閉弁１７ａと逆止弁１７ｂが直列に設けられ、さらに室外ユニット１の側面部に設けられるバランス管用パックドバルブ１８に接続される。
【００２９】
このバランス管１６の中途部と上記オイルセパレータ４との間にキャピラリーチューブと開閉弁との並列回路１９が設けられるとともに、各圧縮機３の吸込み部のサクションカップ７に接続される冷媒管Ｐ相互をキャピラリーチューブを介して連通する絞り回路２０が設けられる。
【００３０】
さらに、それぞれのバランス管１６の中途部と上記アキュームレータ１２の導出部側の冷媒管との間に、後述する絞り機能付き開閉弁２１と逆止弁２２との並列回路２３が接続されている。上記逆止弁２１は、アキュームレータ１２側からバランス管１６側への冷媒の流れを許容し、逆方向への流れを阻止する。
【００３１】
各室外ユニット１における上記バランス管用パックドバルブ１８相互は、室外ユニット１外部において別のバランス管１６によって連通状態にあり、これらで上記バランス回路Ｋが構成される。
【００３２】
つぎに、第１の実施の形態での、絞り機能を有する上記開閉弁２１について詳述する。
【００３３】
図２（Ａ）は開閉弁２１の開放状態の全体断面図であり、図２（Ｂ）は閉弁状態の一部断面図である。この開閉弁２１は、いわゆるブリートポート弁と呼ばれている。
【００３４】
上記開閉弁２１は、軸方向を垂直方向に向けた弁本体３０の上部に電磁コイル部３１が設けられていて、通電状態にあると弁本体３０内に収容される弁体３２を軸方向に沿って移動できる。
【００３５】
また、弁本体３０内にはばね体３３が収容され、このばね体３３の一端部が弁体３２に掛止して、常に弁体３２を引き下げる方向に弾性的に付勢している。すなわち、電磁コイル部３１に通電し励磁すると、弁体３２はばね体３３の弾性力に抗して電磁コイル部３１方向に引き上げられる。
【００３６】
弁本体３０の底部と下部側面には開口をなす配管接続部３４ａ，３４ｂが設けられていて、それぞれの配管接続部３４ａ，３４ｂに上記バランス管１６の開口端部が接続される。
【００３７】
一方の配管接続部３４ａに接続されるバランス管１６は上記アキュームレータ１２の吸上げ側冷媒管Ｐに連通し、他方の配管接続部３４ｂに接続されるバランス管１６は逆止弁１７ｂと開閉弁１７ａを介して圧縮機３に連通する。
【００３８】
上記弁本体３０内部で、底部側の配管接続部３４ａとは離間した位置に弁座部３５が設けられていて、上記弁体３２によって弁座部３５は開閉自在となっている。
【００３９】
上記弁体３２は、金属材から製作される弁子３６と、この弁子３６に一体に設けられる第１のフィルタ３７と、オリフィス体３８および第２のフィルタ３９との組立て体で構成される。
【００４０】
上記第１のフィルタ３７は、たとえばＳＵＳ製の扁平線を層状に編込んだ円筒フィルタと、この円筒フィルタの内周面に嵌め込まれるＳＵＳ製の扁平線を層状に編込んで積層した円盤フィルタとからなり、上記円筒フィルタには複数の小孔からなる絞り用導入孔４０が設けられる。
【００４１】
上記第２のフィルタ３９は、上述した構造と同一の円盤フィルタと、この下面部に複数の小孔からなる絞り用導出孔４１が設けられる円板とを組み合わせてなる。
【００４２】
上記オリフィス体３８は、第１のフィルタ３７と第２のフィルタ３９との間に介設されていて、たとえば弁座部３５の口径が６．８ｍｍであるとすると、φ０．７５ｍｍ程度に設定されるオリフィス孔４２を備えている。
【００４３】
図２（Ａ）に示すように、電磁コイル部３１に通電して弁体３２を磁気駆動すると、弁体３２はばね体３３の弾性力に抗して引き上げられ、弁体３２は弁座部３５から離間して開閉弁２１は開放状態にある。
【００４４】
したがって、圧縮機３側のバランス管１６からアキュームレータ１２側のバランス管１６への冷媒もしくは潤滑油の流通が全く自由であり、何らの抵抗もなく円滑に流通する。
【００４５】
電磁コイル部３１を断電状態にすると、弁体３２はばね体３３の弾性力の影響で垂直下方向に移動する。そして、図２（Ｂ）に示すように、弁体３２の下端部が弁座部３５に当接して、弁座部３５を閉成する。
【００４６】
この状態で、圧縮機３側のバランス管１６から導かれる冷媒もしくは潤滑油は、弁体３２を構成する第１のフィルタ３７の円筒フィルタに浸透し、さらに絞り用導入孔４０を流通して円盤フィルタに浸透する。
【００４７】
ここに浸透した全ての冷媒もしくは潤滑油は、オリフィス体３８のオリフィス孔４２に集められて流通し、第２のフィルタ３９に導かれる。さらに、この第２のフィルタ３９に設けられる絞り用導出孔４１からアキュームレータ１２側のバランス管１６へ導かれる。
【００４８】
結局、開閉弁２１に対して閉動作をなす信号（電源ＯＦＦ）を送り、弁体３２が弁座部３５を閉成した状態で、冷媒もしくは潤滑油は一方のバランス管１６から他方のバランス管１６に絞り状態で流通するようになっている。
【００４９】
このようにして構成される空気調和装置の冷凍サイクル回路であり、冷房運転を選択すると四方切換弁５がオフに切換り、各圧縮機３から吐出される高温高圧の冷媒ガスが合流冷媒管Ｐを介してオイルセパレータ４に導かれる。
【００５０】
冷媒ガスとともに圧縮機３から吐出された潤滑油分はオイルセパレータ４において分離され、底部に溜まる。このオイルセパレータ４の底部に溜まった潤滑油は、図示しないオイルタンクに一旦集溜され、所定の液面高さがあれば、このオイルタンクから導出されて上記圧縮機３に戻される。
【００５１】
オイルセパレータ４で分離された冷媒は、四方切換弁５を介して室外熱交換器６に導かれ凝縮液化する。そして、液冷媒は一旦、リキッドタンク１０に溜められたあと、冷媒管Ｐから液用主冷媒管Ｐａに合流してから室内ユニット２に導かれる。
【００５２】
液冷媒は室内ユニット２に収容される電子膨張弁１４によって流量を絞られ、室内熱交換器１３に導かれて蒸発する。冷媒の蒸発にともなって室内空気から蒸発熱を奪い気化する。これにより室内空気の温度が低下し、再び室内に吹出されて室内の冷房作用をなす。
【００５３】
各室内熱交換器１３を出た蒸発冷媒はガス用主冷媒管Ｐｂに合流し、各室外ユニット１に導かれる。そして、四方切換弁５を介してアキュームレータ１２に導かれ、ついには圧縮機３に吸込まれる。ここで冷媒は再び圧縮され、高温高圧化して上述の冷凍サイクルを循環する。
【００５４】
暖房運転を選択すると、四方切換弁５が切換り圧縮機３から吐出される高温高圧の冷媒ガスがオイルセパレータ４と四方切換弁５を介してガス用主冷媒管Ｐｂに導かれ、さらに各室内熱交換器１３に導かれて凝縮液化する。
【００５５】
この状態で冷媒は凝縮熱を放出し、室内熱交換器１３に導かれる室内空気は温度上昇する。この温風が室内へ吹出されることで、室内の暖房作用を得る。冷媒は液用主冷媒管Ｐａを介して各室外ユニット１に分流される。
【００５６】
室外ユニット１においては、リキッドタンク１０から室外熱交換器６に導かれ蒸発する。さらに、四方切換弁５とアキュームレータ１２を介して圧縮機３に吸込まれ、ここで冷媒は再び圧縮され、高温高圧化して上述の冷凍サイクルを循環する。
【００５７】
このような冷凍サイクル作用をなす空気調和装置であって、上記バランス回路Ｋは室外ユニット１に収容される各圧縮機３の低圧回路に接続され、各室外ユニット１相互を結ぶ。
【００５８】
したがって、上記バランス回路Ｋは以下の３つの機能を有している。
（１）室外ユニット１相互間における圧縮機３の潤滑油アンバランス時の均油用。
（２）暖房運転時での、圧縮機３の運転が停止した室外ユニット１に対する冷媒回収機能。
（３）四方切換弁５の反転時におけ差圧を確保するためのバランス機能。
【００５９】
つぎに、上述のバランス回路Ｋにおける、（１）〜（３）の機能について説明する。
【００６０】
（１）
たとえば、図１の下部側の室外ユニット１における圧縮機３の潤滑油が不足していることを検知した場合に、上部側室外ユニット１のバランス管１６に設けられる開閉弁１７ａを開放し、下部側室外ユニット１のバランス管１６に設けられる絞り機能を備えた開閉弁２１を開放する。
【００６１】
したがって、上部側室外ユニット１の圧縮機３から下部側室外ユニット１の圧縮機３低圧側に潤滑油が導かれ、ついには下部側室外ユニット１の圧縮機３に充分な量の潤滑油が供給されて、室外ユニット１間の圧縮機３の潤滑油アンバランスが是正され均油が行われることになる。
【００６２】
（２）
たとえば、図１の上部側の室外ユニット１を停止し、下部側の室外ユニット１を運転する場合に、上、下部側室外ユニット１双方の上記開閉弁１７ａと絞り機能を備えた開閉弁２１の全てを開放する。
【００６３】
したがって、運転中の下部側室外ユニット１の圧縮機３が停止中の上部側室外ユニット１の圧縮機３から冷媒を回収して、上部側室外ユニット１における冷媒の寝込みを防止する。
【００６４】
（３）
たとえば図の上部側の室外ユニット１を停止し、下部側の室外ユニット１を運転している状況で、運転している下部側の室外ユニット１の四方切換え弁５を冷房モードから暖房モードに切換えた場合に、上部側の室外ユニット１のバランス管１６に設けられる絞り機能を備えた開閉弁２１を開放するとともに、下部側の室外ユニット１のバランス管１６に設けられる絞り機能を備えた開閉弁２１を開放する。
【００６５】
したがって、運転している下部側室外ユニット１の四方切換え弁５が切換り、停止している上部側室外ユニット１へ高圧ガスが流れ込んでも、上部側室外ユニット１の四方切換え弁５を切換えるために必要な差圧を確保できる。
【００６６】
なお、絞り機能を有する上記開閉弁２１は、弁座部３５が弁体３２によって閉成されても必要最小限の冷媒が流通する。閉弁時においても絞られた状態で冷媒の流通を確保する、いわゆるブリード量があり、バランス回路Ｋ自体が閉鎖回路にならないですむ。
【００６７】
この開閉弁２１を備えることにより、冷媒が噴流状態で流れてきても、噴流のエネルギを効率よく吸収して低減化でき、しかも整流による冷媒流動音の減少化を得られる。
【００６８】
そして、同一の機能を備えるために従来技術のような開閉弁と逆止弁およびキャピラリーチューブの並列回路と比較して、少なくともキャピラリーチューブが不要となり、コストの低減を図れる。さらに、配管接続作業において溶接工数の低減と、配管の簡素化を得られる。
【００６９】
通常、閉弁時のブリード量を設定流量に合致させるためには高い加工精度が要求されるが、ここで説明した絞り機能を備えた開閉弁２１の構成であれば、ブリード量（上述の設定条件で７±１Ｌ／ｍｉｎ）のバラツキ範囲はラフでよく、弁自体の製造性も精度を要求されないので、比較的廉価に提供できる。
【００７０】
図３は第２の実施の形態の絞り機能を備えた開閉弁２１Ａを示している。
図３（Ａ）は開放状態での開閉弁２１Ａの一部を省略した断面図、図３（Ｂ）は弁座部を拡大した断面図と一部平面図、図３（Ｃ）は閉成状態での開閉弁２１Ａの一部断面図である。
【００７１】
軸方向を垂直方向に向けた弁本体５０の上部には図示しない電磁コイル部が設けられていて、弁本体５０内に収容される弁体５２を軸方向に沿って電磁駆動できるようになっている。上記弁体５２はばね体５３によって電磁コイル部から離間する方向に弾性的に引張り付勢されている。
【００７２】
弁本体５０の底部と下部側面に配管接続部３４ａ、３４ｂが設けられ、それぞれバランス管１６の開口端部が接続される。一方の配管接続部３４ａに接続されるバランス管１６は上記圧縮機３に連通し、他方の配管接続部３４ｂに接続されるバランス管１６は上記アキュームレータ１２に連通する。
【００７３】
弁本体５０内部で、底部側の配管接続部３４ａとは離間した位置に弁座部５４が設けられていて、上記弁体５２により開閉自在である。なお、側面部の配管接続部３４ｂは上記弁体５２とは離間していて互いに何等の係り合いも無い。
【００７４】
上記弁座部５４には、Ｖ溝加工が施された絞り用溝部５５が周方向に沿い所定間隔を存して複数設けられている。たとえば、絞り用溝部５５の幅寸法は０．３５ｍｍ×深さ寸法は０．３５ｍｍであり、４ヶ所設けられている。
【００７５】
このような開閉弁２１Ａであって、電磁コイル部に通電して弁体５２を磁気駆動すると、弁体５２はばね体５３の弾性力に抗して垂直上方向に移動し、弁体５２が弁座部５４から離間する。開閉弁２１Ａは開放され、一方のバランス管１６から他方のバランス管１６への流通が全く自由であり、何らの抵抗もない。
【００７６】
電磁コイル部を断電すると、弁体５２はばね体５３の弾性力を受けて垂直下方向に移動し、弁体５２の先端が弁座部５４に当接する。すなわち、弁体５２によって弁座部５４は閉成される。
【００７７】
一方のバランス管１６から導かれる冷媒は弁体５２周囲の空間室に充満する。
弁体５２が弁座部５４に当接することにより、弁座部５４が閉成状態にあるけれども、弁座部５４には複数の絞り用溝部５５が設けられているので、弁体５２先端と絞り用溝部５５との隙間を介して冷媒もしくは潤滑油が流通する。
【００７８】
結局、開閉弁２１Ａに対して閉動作をなす信号（電源ＯＦＦ）を送り、弁体５２が弁座部５４を閉成した状態で、冷媒は一方のバランス管１６から他方のバランス管１６に絞り状態で流通する。
【００７９】
このような開閉弁２１Ａであれば、先に説明した開閉弁２１のように第１のフィルタ３７と第２のフィルタ３９およびオリフィス体３８を製作し取付ける手間に対して、絞り用溝部５５での単なる溝加工ですむので、構成が簡素で生産性の向上化を図れる利点がある。
【００８０】
ただし、この開閉弁２１Ａで発生する冷媒噴流音および二相流音は、先に説明したような第１、第２のフィルタ３７，３９およびノズル体３８を備えた開閉弁２１よりも大になってしまうことは避けられない。
【００８１】
なお、本発明は上述した実施の形態に係る構造のものに限定されることはなく、本発明の要旨を越えない範囲内で種々変形実施が可能であることは勿論である。
【００８２】
【発明の効果】
以上説明したように本発明によれば、バランス機能の向上化を得られ、必要な部品点数の低減を図って配管取りまわしの簡素化と、廉価な空気調和装置を提供できる。
【図面の簡単な説明】
【図１】本発明の実施の形態に係る、空気調和装置の配管系統図。
【図２】本発明における第１の実施の形態での、絞り機能を有する開閉弁の互いに異なる状態を示す断面図。
【図３】本発明における第２の実施の形態での、絞り機能を有する開閉弁の互いに異なる状態の断面図と、絞り用溝部の断面図および平面図。
【符号の説明】
３…圧縮機、１…室外ユニット、２…室内ユニット、１６…バランス管、２１，２１Ａ…開閉弁、３０，５０…弁本体、３２，５２…弁体、４０…絞り用導入孔、３７…第１のフィルタ、４１…絞り用放出孔、３９…第２のフィルタ、３８…オリフィス体、３５，５４…弁座部、５５…絞り用溝部。
【図１】
2004263996.tif 000003
【図２】
2004263996.tif 000004
【図３】
2004263996.tif 000005